(57)【要約】【課題】棚板の間仕切り幅と高さとを変更することが可能で、棚板にかかる荷重を支え、収納棚自体を補強することのできる収納棚の補強構造を提供する。【解決手段】棚板４を備えた収納棚Ａにおいて、該棚板４にかかる荷重を支えるために設けられる補強部Ｂが上記収納棚Ａの底板３に設けられた溝部３１に沿って横方向に移動可能とされ、上記補強部Ｂは単位高さを有する単位仕切り板１、２を縦方向に積重してなるとともに、上記補強部Ｂの高さは積重する単位仕切り板の数によって可変とされ、収納スペースを仕切る仕切り部としても機能する収納棚の補強構造。【選択図】図２
2007029156.tif 000002
【特許請求の範囲】
【請求項１】
棚板を備えた収納棚において、該棚板にかかる荷重を支えるために設けられる補強部が上記収納棚の底板に設けられた溝部に沿って横方向に移動可能とされ、上記補強部は単位高さを有する単位仕切り板を縦方向に積重してなるとともに、上記補強部の高さは積重する単位仕切り板の数によって可変とされ、収納スペースを仕切る仕切り部としても機能する収納棚の補強構造。
【請求項２】
上記単位仕切り板の上端部左右両側には嵌合凸部が、上端部略中央には嵌合凹部が設けられるとともに、下端部左右両側には嵌合凹部が、下端部略中央には嵌合凸部が設けられ、下方に位置する単位仕切り板の上端部と上方に位置する単位仕切り板の下端部とを上記嵌合凸部と嵌合凹部とを嵌合することによって複数の単位仕切り板が積重可能とされた請求項１に記載の収納棚の補強構造。
【請求項３】
上記溝部の断面が上記上端部略中央に形成した嵌合凹部と同一とされ、上記単位仕切り板の下端部略中央に突設された嵌合凸部とスライド自在に嵌合する請求項２に記載の収納棚の補強構造。
【請求項４】
上記溝部が棚板にも設けられた請求項１に記載の収納棚の補強構造。
【発明の詳細な説明】
【技術分野】
【０００１】
本発明は、収納棚の構造に関する。さらに詳しくは、棚板の荷重によるたわみを防ぐとともに、所望の収納スペースに仕切ることのできる組立式の収納棚の補強構造に関する。
【背景技術】
【０００２】
近年、熟練した職人の手によって完成された本棚、整理棚等とは異なり、ホームセンター等でパッケージされた天板、側板、棚板等を購入し使用者が自ら組み立て、各種の用途に使用できる収納棚が普及している。下記特許文献１には２枚の側板、底板および天板によって構成され、前面側と裏面側とが開放して外形形状を形成し、内部には前部空間と後部空間とを分ける仕切壁板、左右空間に分ける間仕切板及び棚板を構成してなる組み立て、解体自由な組立式押し入れが提案されている。
【特許文献１】特開２０００−３００３５８号公報（第１〜４頁、第１図）
【発明の開示】
【発明が解決しようとする課題】
【０００３】
上記特許文献１には、その第１図に示されているように、棚板の上を左右に移動できる可動間仕切りが開示されている。しかしながら、可動間仕切り自体の高さは一定とされているため、間仕切るスペースの高さを変えることはできない。
【０００４】
本発明はこのような問題を解決して、棚板の間仕切り幅と上下棚板間の間隔を収納目的に応じて、変更することができるとともに、棚板にかかる荷重を支え、収納棚自体を補強することのできる収納棚の補強構造を提供することを、その課題とする。
【課題を解決するための手段】
【０００５】
上記課題を解決するために、本発明においては、つぎのような技術的手段を講じている。すなわち、請求項１に記載の発明によれば、棚板を備えた収納棚において、該棚板にかかる荷重を支えるために設けられる補強部が上記収納棚の底板に設けられた溝部に沿って横方向に移動可能とされ、上記補強部は単位高さを有する単位仕切り板を縦方向に積重してなるとともに、上記補強部の高さは積重する単位仕切り板の数によって可変とされ、収納スペースを仕切る仕切り部としても機能する収納棚の補強構造が提供される。上記収納棚としては、本棚、整理棚、陳列棚等種々のものがあげられるが、棚板の長さが長尺の収納棚にとくに好ましく適用される。
【０００６】
請求項２に記載の収納棚の補強構造は、請求項１に記載の発明に加えて、上記単位仕切り板の上端部左右両側には嵌合凸部が、上端部略中央には嵌合凹部が設けられるとともに、下端部左右両側には嵌合凹部が、下端部略中央には嵌合凸部が設けられ、下方に位置する単位仕切り板の上端部と上方に位置する単位仕切り板の下端部とを上記嵌合凸部と嵌合凹部とを嵌合することによって複数の単位仕切り板が積重可能とされる。
【０００７】
また、請求項３に記載の収納棚の補強構造は、請求項２に記載の発明に加えて、上記溝部の断面が上記上端部略中央に形成した嵌合凹部と同一とされ、上記単位仕切り板の下端部略中央に突設された嵌合凸部とスライド自在に嵌合される。
【０００８】
さらに、請求項４に記載の収納棚の補強構造は、請求項１に記載の発明に加えて、上記溝部を棚板に設けることも可能とされる。
【発明の効果】
【０００９】
請求項１に記載の収納棚の補強構造は上記のとおりであり、棚板にかかる荷重を支える補強部は単位仕切り板を縦方向に積重してなり、その高さは積重する単位仕切り板の数によって可変とされているため、上下の棚板の間隔に応じて高さを調整して上方の棚板を支えるとともに、収納スペースの高さを変えることができる。また、上記補強部が底板に設けられた溝部に沿って横方向に移動可能とされているため、補強部自体が仕切り部として機能し、収納スペースを所望の幅で仕切ることができる。
【００１０】
請求項２に記載の収納棚の補強構造は上記のとおりであり、請求項１の収納棚の補強構造の有する効果に加え、下方に位置する単位仕切り板の上端部と上方に位置する単位仕切り板の下端部とを上記嵌合凸部と嵌合凹部とを互いに嵌合することによって複数の単位仕切り板をしっかりと積重することができる。また、上記嵌合を解除することによって、簡単に解体することができる。
【００１１】
請求項３に記載の収納棚の補強構造は上記のとおりであり、請求項２の収納棚の補強構造の有する効果に加え、上記溝部の断面が上記上端部略中央に形成した嵌合凹部と同一とされているため、上記単位仕切り板の下端部略中央に突設された嵌合凸部が上記溝部にスライド自在に嵌合し、間仕切りスペースの幅が所望の幅となるように容易に移動することができる。
【００１２】
請求項４に記載の収納棚の補強構造は上記のとおりであり、請求項１の収納棚の補強構造の有する効果に加え、上記溝部が上記棚板にも設けられているため、収納棚の棚板が多段に設けられている場合において、上下の棚板の間隔に応じて高さを調整し、上方の棚板を支えるとともに、収納スペースを所望の高さおよび幅に仕切ることができる。
【発明を実施するための最良の形態】
【００１３】
以下、本発明の実施形態について図面を参照して、詳細に説明する。図１ないし図４は本発明にかかる棚補強構造の実施例を示すものである。図１は本発明にかかる２枚の単位仕切り板を示す斜視図である。まず、単位仕切り板について説明する。図１において、単位仕切り板１の上端部の左右端部には左嵌合凸部１１１、右嵌合凸部１１２が突設され、上端部の略中央には上部嵌合凹部１１３が設けられている。また、単位仕切り板１の下端部の左右端部には左嵌合凹部１２１、右嵌合凹部１２２が設けられ、下端部の略中央には下部嵌合凸部１２３が突設されている。
【００１４】
単位仕切り板１の下方に位置する単位仕切り板２にも上記と同様にして、上端部には左嵌合凸部２１１、右嵌合凸部２１２が突設され、上端部の略中央には上部嵌合凹部２１３が設けられている。また、単位仕切り板２の下端部にも上記と同様に、左嵌合凹部２２１、右嵌合凹部２２２が設けられ、下端部の略中央には下部嵌合凸部２２３が突設されている。
【００１５】
上記２枚の単位仕切り板１、２は上に位置する単位仕切り板１の下端部に設けられた左嵌合凹部１２１、右嵌合凹部１２２、下部嵌合凸部１２３と、下に位置する単位仕切り板２の上端部に設けられた左嵌合凸部２１１、右嵌合凸部２１２、上部嵌合凹部２１３とをそれぞれ、嵌合することにより結合し、積重することができる。すなわち、左嵌合凹部１２１と左嵌合凸部２１１とが、下部嵌合凸部１２３と上部嵌合凹部２１３とが、また、右嵌合凹部１２２と右嵌合凸部２１２とがそれぞれ、嵌合する。
【００１６】
図２は単位仕切り板１と単位仕切り板２とを上記のように積重して補強部Ｂを構成し、該補強部Ｂを収納棚Ａに設けられた底板３に取り付けると共に、該補強部Ｂで棚板４を支持する状態を示す斜視図である。図２に示されているように上記底板３は棚板としても機能し、棚板４は天板としても機能する。図３は、図２におけるＸ−Ｘ線に沿う側断面図である。図２、図３に示されているように、上記底板３には断面が上記上端部略中央に形成した嵌合凹部と同一の溝部３１が設けられ、この溝部３１に補強部Ｂの下端部、すなわち単位仕切り板２の下端部に突設された下部嵌合凸部２２３がスライド自在に嵌合する。
【００１７】
すなわち、収納棚Ａを組み立てる際、左側板５または右側板６を組み付ける前に、補強部Ｂの下部嵌合凸部２２３を上記溝部３１に嵌合するとともに、所望の位置にスライドさせて仕切り、その後収納棚Ａの組み立てを完了する。このようにすることによって、上記補強部Ｂは底板３に取り付けられて棚板４を支持するとともに、底板３と棚板４の間の空間を所望の収納スペースに仕切ることができる。
【００１８】
図４は本発明にかかる補強構造を用いて多段の収納棚を補強した実施例を示す正面図である。図４に示されているように、上記単位仕切り板１と単位仕切り板２とを積重して構成された補強部Ｂと、３枚の単位仕切り板を積重して構成された補強部Ｃとを用いて多段の棚板が補強されるとともに、所望のスペースに仕切られていることが明らかである。なお、上記実施例はいずれも複数の単位仕切り板を積重した場合について説明したが、使用者の収納目的に応じて、例えば、平板な物品等を収納したいときは、１枚の単位仕切り板を用いて補強し、仕切ってもよく、本発明の特許請求の範囲を逸脱しない限り設計変更自由である。
【図面の簡単な説明】
【００１９】
【図１】本発明にかかる単位仕切り板を示す斜視図である。
【図２】本発明にかかる２枚の単位仕切り板を積重してなる補強部で棚板を補強した状態を示す斜視図である。
【図３】図２におけるＸ−Ｘ線に沿う側断面図である。
【図４】本発明にかかる補強構造を用いて多段の収納棚を補強した実施例を示す正面図である。
【符号の説明】
【００２０】
Ａ          本発明にかかる収納棚
Ｂ          補強部
Ｃ          ３枚の単位仕切り板を積重してなる補強部
１          単位仕切り板
１１１      左嵌合凸部
１１２      右嵌合凸部
１１３      上部嵌合凹部
１２１      左嵌合凹部
１２２      右嵌合凹部
１２３      下部嵌合凸部
２          単位仕切り板
２１１      左嵌合凸部
２１２      右嵌合凸部
２１３      上部嵌合凹部
２２１      左嵌合凹部
２２２      右嵌合凹部
２２３      下部嵌合凸部
３          底板
３１        溝部
４          棚板
５          左側板
６          右側板
【図１】
2007029156.tif 000003
【図２】
2007029156.tif 000004
【図３】
2007029156.tif 000005
【図４】
2007029156.tif 000006